(57)【特許請求の範囲】
【請求項１】
エアゾール容器の中空ステムに嵌合保持され、該中空ステムの内部通路につながる噴出経路を有するノズルヘッドと、該ノズルヘッドを上方部分に露出させる貫通開口を有し、該エアゾール容器のマウンテンカップに固定保持されるベースとを備え、該ノズルヘッドを中空ステムとともに押圧することによってエアゾール容器内の内容物を該ノズルヘッドの噴出口を通して噴射させるエアゾール容器用押圧ヘッドであって、
該ベースの貫通開口に、該ベースと該ノズルヘッドとを相互につなぐとともに、該ノズルヘッドの動きに帯同して弾性変形可能な連結片を設け、
前記ベースは、該ベースに嵌合保持され、前記ノズルヘッドをその内側空間内に収納するカバーを備え、
該カバーは、該ノズルヘッドの噴出口に対面して開放する窓孔と、該カバーの本体部分に揺動可能に支持され、その支持部を支点とする押し下げによって該ノズルヘッドを該中空ステムとともに押圧してエアゾール容器内の内容物を該窓孔から外界へ向けて噴射させる操作片を有し、
該ノズルヘッドは、該ノズルヘッドを構成する筒体の両側壁に突起を有し、
該操作片は、該突起に下向き凹所を連係させる一対の挟持片を有し、
該操作片の本体の下面の幅方向中央部には、該本体の全長にわたって一体的に連結するリブが設けられていることを特徴とするエアゾール容器用押圧ヘッド。
【請求項２】
エアゾール容器の中空ステムに嵌合保持され、該中空ステムの内部通路につながる噴出経路を有するノズルヘッドと、該ノズルヘッドを上方部分に露出させる貫通開口を有し、該エアゾール容器のマウンテンカップに固定保持されるベースとを備え、該ノズルヘッドを中空ステムとともに押圧することによってエアゾール容器内の内容物を該ノズルヘッドの噴出口を通して噴射させるエアゾール容器用押圧ヘッドであって、
該ベースの貫通開口に、該ベースと該ノズルヘッドとを相互につなぐとともに、該ノズルヘッドの動きに帯同して弾性変形可能な連結片を設け、
前記ベースは、該ベースに嵌合保持され、前記ノズルヘッドをその内側空間内に収納するカバーを備え、
該ノズルヘッドは、該ノズルヘッドを構成する筒体の両側壁に突起を有し、
該カバーは、該カバーの本体部分の背面にヒンジを介して開閉可能に支持され、該ヒンジを支点とする押し下げによって該ノズルヘッドを該中空ステムとともに押圧してエアゾール容器内の内容物を外界へ向けて噴射させる操作片を有し、
該操作片に、該ノズルヘッドの噴出口を露出させる窓孔と、該操作片の先端部に一体連結してそれを牽洩することによって該操作片を押し下げるレバーと、該突起に下向き凹所を連係させる一対の挟持片を設け、
該操作片は、その後端側の幅端部に、押圧ヘッドの使用状態では該操作片をカバーの本体部分に係止するが、該ヒンジを支点に該操作片を引き起こすことにより該係止を解除する一対の凸部を有することを特徴とするエアゾール容器用押圧ヘッド。
【請求項３】
前記カバーは、前記ベースの周りに沿って回動可能であり、前記操作片は、該カバーの回動に同期して前記ノズルヘッドを回動させる挟持片を有することを特徴とする請求項１または２に記載したエアゾール容器用押圧ヘッド。
【請求項４】
前記ベースは、前記カバーの回動にて、前記操作片の後端部に位置して該操作片の押し下げを規制するストッパーを有することを特徴とする請求項１〜３のいずれか１項に記載したエアゾール容器用押圧ヘッド。
【請求項５】
前記ベースは、前記ストッパーが前記操作片の後端部に位置すると同時に該ノズルヘッドの噴出口の前面に位置して該噴出口を塞ぐ閉塞板を有することを特徴とする請求項４に記載したエアゾール容器用押圧ヘッド。
【請求項６】
前記ベースは、前記カバーの回動にて、前記ノズルヘッドの下面の少なくとも一箇所に位置して前記操作片の押し下げ規制するストッパーを有することを特徴とする請求項１〜３のいずれか１項に記載したエアゾール容器用押圧ヘッド。
【発明の詳細な説明】
【技術分野】
【０００１】
本発明は、エアゾール容器の中空ステムを押圧して該容器内に充填された内容物を噴射させるに際して、該中空ステムの押圧を容易ならしめるエアゾール容器用押圧ヘッドに関するものである。
【背景技術】
【０００２】
整髪剤や芳香剤、殺虫剤等の容器として使用されるエアゾール容器は、スプリング等の弾性部材にて支持されその内部通路を内容物の噴射経路とする中空ステムが備えられており、該中空ステムを押圧し、その下端に組み付けられたバルブを開放することによって内容物の噴射を可能としている。
【０００３】
前記中空ステムは、その押圧を容易ならしめるため、普通は噴射経路につながるノズルを備えた押圧ヘッドが取り付けられている。しかし、該押圧ヘッドは、サイズの小さいものが多く、しかも、指によって加える押圧力（操作力）と中空ステムを支持する弾性部材の付勢力が同一直線上に存在していることから押圧にかかる抵抗が比較的大きく、内容物の種類や使用目的に応じ長時間にわたってノズルヘッドを押し続けなければならない場合等にあってはその操作が容易ではない。
【０００４】
上記のような従来の不具合を解消するため、例えば、特許文献１には、内容物を噴射する噴射筒の前端下部に支持板を介してトリガーを垂設し、このトリガーを後方へ引き寄せることによって中空ステムを押し下げて内容物を噴射させるようにしたエアゾール式噴霧器が提案されている。
【先行技術文献】
【特許文献】
【０００５】
【特許文献１】特開２００１−１５８４８４号公報
【発明の概要】
【発明が解決しようとする課題】
【０００６】
ところで、この種の押圧ヘッドにおいては、操作性の改善に併せて省パーツ化、構造の簡素化を図ろうとする場合、中空ステムに対して、それが傾いて押し込まれるような無理な力が作用することもあり、内容物が不安定な状態で噴射されることがあったり、内容物が適正に噴射されない（内容物の噴射状態が不安定になる）おそれがあった。
【０００７】
本発明の課題は、中空ステムの押し込み操作が容易であり、しかも、中空ステムに無理な動きをさせることなしに内容物を安定して噴射させることができるエアゾール容器用押圧ヘッドを提案するところにある。
【課題を解決するための手段】
【０００８】
本発明は、エアゾール容器の中空ステムに嵌合保持され、該中空ステムの内部通路につながる噴出経路を有するノズルヘッドと、該ノズルヘッドを上方部分に露出させる貫通開口を有し、エアゾール容器のマウンテンカップに固定保持されるベースとを備え、該ノズルヘッドを中空ステムとともに押圧することによってエアゾール容器内の内容物を該ノズルヘッドの噴出口を通して噴射させるエアゾール容器用押圧ヘッドであって、該ベースの貫通開口に、該ベースと該ノズルヘッドとを相互につなぐとともに、該ノズルヘッドの動きに帯同して弾性変形可能な連結片を設け、前記ベースは、該ベースに嵌合保持され、前記ノズルヘッドをその内側空間内に収納するカバーを備え、該カバーは、該ノズルヘッドの噴出口に対面して開放する窓孔と、該カバーの本体部分に揺動可能に支持され、その支持部を支点とする押し下げによって該ノズルヘッドを該中空ステムとともに押圧してエアゾール容器内の内容物を該窓孔から外界へ向けて噴射させる操作片を有し、該ノズルヘッドは、該ノズルヘッドを構成する筒体の両側壁に突起を有し、該操作片は、該突起に下向き凹所を連係させる一対の挟持片を有することを特徴とするエアゾール容器用押圧ヘッドである。
【００１０】
また、本発明は、エアゾール容器の中空ステムに嵌合保持され、該中空ステムの内部通路につながる噴出経路を有するノズルヘッドと、該ノズルヘッドを上方部分に露出させる貫通開口を有し、該エアゾール容器のマウンテンカップに固定保持されるベースとを備え、該ノズルヘッドを中空ステムとともに押圧することによってエアゾール容器内の内容物を該ノズルヘッドの噴出口を通して噴射させるエアゾール容器用押圧ヘッドであって、該ベースの貫通開口に、該ベースと該ノズルヘッドとを相互につなぐとともに、該ノズルヘッドの動きに帯同して弾性変形可能な連結片を設け、前記ベースは、該ベースに嵌合保持され、前記ノズルヘッドをその内側空間内に収納するカバーを備え、該ノズルヘッドは、該ノズルヘッドを構成する筒体の両側壁に突起を有し、該カバーは、該カバーの本体部分の背面にヒンジを介して開閉可能に支持され、該ヒンジを支点とする押し下げによって該ノズルヘッドを該中空ステムとともに押圧してエアゾール容器内の内容物を外界へ向けて噴射させる操作片を有し、該操作片に、該ノズルヘッドの噴出口を露出させる窓孔と、該操作片の先端部に一体連結してそれを牽洩することによって該操作片を押し下げるレバーと、該突起に下向き凹所を連係させる一対の挟持片を設けたことを特徴とするエアゾール容器用押圧ヘッドである。
【００１１】
また、カバーは、前記ベースの周りに沿って回動可能であり、前記操作片には、該カバーの回動に同期して前記ノズルヘッドを回動させる挟持片を設けることができる。
【００１２】
また、ベースは、カバーの回動にて、操作片の後端部に位置して該操作片の押し下げを規制するストッパーを有するものとするのが望ましい。
【００１３】
ベースには、ストッパーが操作片の後端部に位置すると同時に該ノズルヘッドの噴出口の前面に位置して該噴出口を塞ぐ閉塞板を設けるのが望ましい。
【００１４】
さらに、ベースは、カバーの回動にて、ノズルの下面の少なくとも一箇所に位置して操作片の押し下げ規制するストッパーを設けておくことができる。
【発明の効果】
【００１５】
本発明のエアゾール容器用押圧ヘッドは、中空ステムに嵌合保持されるノズルヘッドは、ノズルヘッドの動きに帯同して弾性変形する連結片を通してベースにつながっているため、ノズルヘッドに付加される押圧力が、ベースに及ぶことがないことから、中空ステムには無理な力がかからず、ほぼその軸芯に沿って押し込むことが可能となり、内容物を安定した状態で噴射させることができる。
【００１６】
また、ベース、ノズルヘッドおよびそれらをつなぐ連結片は、単一部材で構成することが可能であり、部品点数の軽減を図ることができる（省パーツ化、構造の簡素化）。なお、連結片は、押圧ヘッドのサイズに応じて１本または複数本設けることができるものであって、その本数についてはとくに限定されない。
【００１７】
また、中空ステムの押込みは、カバーに設けられた操作片によって行うため、とくに大きな押圧力を必要とせずに内容物を噴射させることができ、噴射操作が容易である。とくに操作片の先端部にレバーを設けたものにあっては、該レバーを牽洩するだけで内容物を噴射させることが可能であり、噴射操作がより一層容易になり使い勝手がよくなる。
【００１８】
また、カバーを、ベースの周りに沿って回動可能とし、操作片を、該カバーの回動に同期して前記ノズルヘッドを回動させる挟持片を有するもので構成する一方、ベースに、カバーの回動によって、操作片の後端部に位置して該操作片の押し下げを規制するストッパーを設けるようにしたため、カバーを回動させるだけの簡単な操作で内容物の噴射を規制することができる。
【００１９】
また、本発明の押圧ヘッドによれば、ベースに、ストッパーが操作片の後端部に位置すると同時に該ノズルヘッドの噴出口の前面に位置して該噴出口を塞ぐ閉塞板を設けたため、容器の保管時において噴出口に塵等が付着するのを回避することができる。
【００２０】
さらに、本発明の押圧ヘッドによれば、ベースに、カバーの回動によって、ノズルヘッドの下面の少なくとも一箇所に位置して操作片の押し下げを規制するストッパーを設けるようにしたため、この場合もカバーを回動させるだけの簡単な操作で内容物の噴射を規制することが可能となる。
【図面の簡単な説明】
【００２１】
【図１】本発明に従う押圧ヘッドをエアゾール容器に装着した状態で模式的に示した図であり、（ａ）は平面図、（ｂ）は、側面図（断面表示）である。
【図２】図１に示した押圧ヘッドについて、カバーを取り外した状態の平面を示した図である。
【図３】操作片をロック状態に保持した状態を示した図であり、（ａ）は平面図、（ｂ）は側面図である。
【図４】本発明に従う押圧ヘッドの他の例を示した図であり、（ａ）は平面図、（ｂ）は側面図である。
【図５】図４に示した押圧ヘッドにおいて、カバーを取り外した状態の平面図である。
【図６】図４に示した押圧ヘッドにおいて、操作片をロック状態に保持した状態を示した図であり、（ａ）は平面図、（ｂ）は側面図である。
【発明を実施するための形態】
【００２２】
以下、本発明を図面を用いてより具体的に説明する。
図１（ａ）（ｂ）は、本発明に従う押圧ヘッドの実施の形態を、エアゾール容器に取付け状態で模式的に示した図であり、（ａ）は平面図、（ｂ）は、その側面図（断面表示）である。また、図２は、図１（ａ）(ｂ)に示したところにおいて、カバーを取り外した状態の平面を示した図である。なお、本発明に従う押圧ヘッドは、その構成部材がすべて合成樹脂で成形されるが、材質については、とくに限定されることはない。
【００２３】
図１、２における符号１は、内容物を充填するエアゾール容器、２は、エアゾール容器１の頂部に設けられた中空ステムである。エアゾール容器１内に充填された内容物は、中空ステム２を押圧することによってその内部通路を通して噴射される。
【００２４】
また、符号３は、中空ステム２に嵌合保持され、該中空ステム２の内部通路につながる噴出経路を有するノズルヘッドである。このノズルヘッド３は、水平方向に向いた噴出口３ａを有するヘッド本体３ｂと、このヘッド本体３ｂの後端部の下部に直角に一体連結し、該ヘッド本体３ｂを中空ステム２に嵌合させる筒体３ｃから構成されている。ヘッド本体３ｂの両側壁には、突起３ｄが設けられている。
【００２５】
また、４は、ベースである。ベース４は、エアゾール容器１のマウンテンカップ（巻締め環状体）１ａを取り囲み、該マウンテンカップ１ａにアンダーカットの如き手段によって嵌合する内筒４ａと、この内筒４ａの外周壁との間で段部ｄ（後述するカバーの設置座部を形成するもの）を形成して一体連結するとともにその下端をエアゾール容器１の肩部に面一状態で当接させる外筒４ｂと、該内筒４ａの上端に一体連結してその下側に内筒４ａと協働して中空ステム２の格納空間を形成する天板４ｃとから構成されている。天板４ｃの中央部には、ノズルヘッド３を上方部分に露出させる貫通開口４ｄが形成されている。外筒４ｂは、その上面に設けられた環状の水平板を介して内筒４ａの外周壁のほぼ中央部分に接続させて段部ｄを形成するものを例として示したが、その構造は、任意に変更し得るものであって、図示のものには限定されない。
【００２６】
また、５は、貫通開口４ｄに設けられ、ノズルヘッド３とベース４とを相互につなぐ、３本の例で示した連結片である。この連結片５は、細長い帯状部材から構成されるものであって、ノズルヘッド３の動き（上下の動き）に帯同して弾性変形することが可能であり（ノズルヘッド３が中空ステム２とともに下方に移動した場合には、その動きに帯同して弾性変形し、ノズルヘッド３が元の位置に戻った場合には、初期形状に復元する、例えば、三点弁の脚のような動きをするもの）、かつ、中空ステム２の周りに沿って伸縮することができるようになっている。
【００２７】
連結片５は、少なくとも一本設けられていればよく、図示のものに限定されることはない。この連結片５は、その端部においてノズルヘッド３の筒体３ｃおよびベース４の貫通開口４ｄの内端に一体連結するものであり、これらノズルヘッド３、ベース４および連結片５を単一物として構成することが可能であって、部品点数が少なくてすむ利点を有している。
【００２８】
また、６は、ノズルヘッド３をその内側空間Ｍに収納する、ドーム型の例で示したカバーである。このカバー６は、ベース４の段部ｄでその内周壁が内筒４ａの外周壁でアンダーカットの如き手段によって回動可能に嵌合するものであって、その本体部分６ａの前面側の壁面には、ノズルヘッド３の噴出口３ａに対面して開放する窓孔６ｂが設けられている。
【００２９】
また、７は、ノズルヘッド３の上方位置で、カバー６の頂面部を形成するように設けられた湾曲板状の操作片である。この操作片７は、カバー６の本体部分６ａの前面側、すなわち、ノズルヘッド３のヘッド本体３ｂの先端部直上で該本体部分６ａに揺動可能に支持（一体連結による片持ち支持）され、直接押圧力を付加する本体７ａと、この本体７ａの下面に垂下保持され、ノズルヘッド３の両側壁に設けられた突起３ｄに下向き凹所を連係させて該ノズルヘッド３を挟み込む一対の挟持片７ｂと、本体７ａの下面の幅方向中央部にその全長にわたって一体的に設けられたリブ７ｃから構成されている。
【００３０】
リブ７ｃは、本体７ａを補強するために設けられるものであって、このリブ７ｃを設けることによって本体７ａの薄肉化を可能としている。本体７ａの薄肉化により使用樹脂量の削減を図ることができる。
【００３１】
本体７ａの後端部は、リブ７ｃを除く部位が下方に向けて湾曲もしくは屈曲されており（図１（ｂ）の拡大図参照）、この後端部が後述するストッパーに当接するようになっている。なお、操作片７の本体７ａの後端部は、厚さを厚くしておいてもよく、その厚肉部分をストッパーに当接させて操作片７の押込みを規制することもできる。
【００３２】
操作片７の本体７ａの上面に押圧力を付加し、支持部（連結部）７ｄを支点にして操作片７を押し下げると、ノズルヘッド３は、中空ステム２とともに押圧され、エアゾール容器１内の内容物は窓孔６ｂから外界へ向けて噴射することになる。
【００３３】
また、８は、ベース４の天板４ｃに設けられたストッパーである。このストッパー８は、天板４ｃに起立姿勢で一体連結する、例えば、Ｈ型断面をなす棒状部材にて構成されており（上端部は、操作片７の本体７ａ、カバー６の内面形状に対応した形状になっている）、エアゾール容器１が内容物を噴射することができる状態にあるとき、すなわち、図１（ａ）（ｂ）に示すような状態にあるときは、該ストッパー８は、操作片７の本体７ａから離れた位置にあるが、カバー６をノズルヘッド３とともにベース４の周りに回動させ、ストッパー８を、図３（ａ）（ｂ）に示すように、操作片７の本体７ａの後端部の下端に位置せしめることによって操作片７の押し下げを規制する。なお、ノズルヘッド３の回動は、操作片７の本体７ａの下面に垂下保持された一対の挟持片７ｂを通して行われる。
【００３４】
ノズルヘッド３とベース４とをつなぐ連結片５は、その弾性変形によりノズルヘッド３の上下における動きに帯同することができるだけでなく、中空ステム２の周りに沿って伸縮可能になっているため、ノズルヘッド３が回動してもその動きに容易に追随できるようになっている。
【００３５】
また、符号９は、ベース４の天板４ｃに設けられた閉塞板である（図１（ａ）、図２参照）。この閉塞板９は、中空ステム２を挟むように、ストッパー８の対向位置に設けられており、内容物を噴射することができる状態にあるときは、ノズルヘッド３の噴出口３ａから離れた位置にあるが、図３（ａ）（ｂ）に示すように、ストッパー８が操作片７の本体７ａの後端部に位置すると同時にノズルヘッド３の噴出口３ａの前面に位置して該噴出口３ａを塞ぐものであって、これにより、噴出口３ａへの、塵等の侵入を防止している。
【００３６】
上記の構成からなる押圧ヘッドは、ノズルヘッド３とベース４とが該ノズルヘッド３の動きに対応して弾性変形する連結片５を介して連結しているにすぎないことから、操作片７によってノズルヘッド３を押圧するとき、ノズルヘッド３の動きがベース４によって規制されることがない。すなわち、中空ステム２にそれを斜めにするような無理な力がかかった状態で押し込まれることがないため（中空ステム２をその軸芯にほぼ沿うように押し込むことが可能）、内容物を安定した状態で噴射させることができる。
【００３７】
また、かかる押圧ヘッドは、カバー６を適宜、時計周りあるいは反時計周りに回動させるだけの簡単な操作で噴射可、噴射不可（ロック）の状態にすることが可能であり、容器の保管時等において操作片７が誤って押し込まれ、内容物が不用意に噴射するのを防止することができる。
【００３８】
図４（ａ）（ｂ）は、本発明に従う押圧ヘッドの他の例を示した図であり、図５は、図４（ａ）（ｂ）に示した押圧ヘッドにおいて、カバー６を取り外した状態の平面を示した図である。
【００３９】
この例は、ノズルヘッド３のヘッド本体３ｂの後端部に、後方へ向けて延長する延長部を形成するとともに、操作片７を、カバー６の本体部分６ａの背面にヒンジ１０を介して開閉可能に連結し、その操作片７の前面側の壁面にノズルヘッド３の噴出口３ａを露出させる長円状の窓孔１１を設けたものである。
【００４０】
この操作片７の本体７ａの先端部には、ノズルヘッド３の噴出口３ａの下側で径方向斜め外方に向けて伸延するレバー１２が一体的に形成されていて、ベース４を把持し、該レバー１２を牽洩することによって操作片７を押し下げることができる。
【００４１】
この構造の押圧ヘッドは、レバー１２を牽洩するだけの簡単な操作で内容物の噴射が可能であって、噴射操作がさらに容易になっており、使い勝手がよい。ノズルヘッド３とベース４とは、上掲図１に示した押圧ヘッドと同様、弾性変形可能な連結片５を介してつながるものであるから、中空ステム２に無理な動きをさせることがないため、内容物の噴射は安定している。
【００４２】
なお、図４（ａ）（ｂ）、図５における符号１３は、操作片７の動きを規制する、凸部あるいは縦リブにて構成されるストッパー、１４は、操作片７およびレバー１２を補強するためのリブである。リブ１４は、操作片７、レバー１２の幅方向の両端に連続的に設けられている。さらに、１５は、操作片７の後端側（ヒンジ１０に近接した側）の幅端部に設けられ、該操作片７を、カバー６の本体部分６ａに着脱自在に係止する一対の凸部である。押圧ヘッドの使用状態では、この凸部１５によって操作片７は、カバー６の本体部分６ａに係止されているが、ヒンジ１０を支点に操作片７を引き起こすことで凸部１５による係止を解除することが可能となっており、該操作片７を図示の仮想線の如き状態にすることができる。
【００４３】
ストッパー１３は、ベース４の天板４ｃに、中空ステム２を挟むように２つ形成することができる。このストッパー１３は、内容物を噴射することができる状態にあるときは、図４（ａ）、図５に示すように、ノズルヘッド３から離れたところにそれぞれ位置している。一方、カバー６をノズルヘッド３とともにベース４の周りに回動させ、図６（ａ）（ｂ）に示すように、ノズルヘッド３の前側下部、後側下部にそれぞれストッパー１３を位置せしめることによって操作片７の押し下げを規制する。
【００４４】
とくにストッパー１３は、上掲図１（ａ）（ｂ）に示したストッパー８に比較して突出長さを短縮することができるので、部材の形状が簡素化できるだけでなく、使用する樹脂量を削減できる利点がある。なお、ストッパー１３は、ノズルヘッド３のヘッド本体３ｂの２箇所に位置するものを例として示したが、その個数は任意に変更し得る。
【００４５】
押圧ヘッドを噴射可能な状態あるいは噴射不可能な状態（ロック状態）に切り替えるには、例えば、ベース４の内筒４ａの外周壁にその周りに沿う溝部を設け、カバー６の内周壁に該溝部に沿って移動可能な凸部を設け、カバー６を回動させて該凸部を溝部の一方の端部に当接するところで、図１、図４に示すような状態にし、該カバー６を逆向きに回動させ該凸部を溝部のもう一方の端部に当接させることで図３、図６に示すような状態にすればよい。
【００４６】
なお、上記のような切換えを行うに当たっては、溝部あるいは凸部が形成された部材に、突出代が小さく、かつその相互間に隙間が形成された一対の突起を形成し、もう一方の部材に、該一対の突起うちの一方を乗り越えてその一対の突起の相互間に位置することができる単一の突起を形成しておくのがよい。このような突起を形成しておくことにより、カバー６の回動によって単一の突起が一対の突起の相互間に位置したとき、カバー６の、不用意な回動を抑制できる利点がある。また、かかる突起は、単一の突起が一対の突起のうちの一方を乗り越える際に、クリック感を与えることから、押圧ヘッドが噴射可の状態になったか、噴射不可の状態になったかを明瞭に把握することができる。
【００４７】
本発明の実施の形態では、一本のエアゾール容器１に押圧ヘッドを一つ取付けたものを例として示したが、例えば、毛染め剤等、複数本のエアゾール容器からそれぞれ内容物を同時に噴射させてそれを混合して使用するような容器あるいは複数本の中空ステムが設けられたエアゾール容器等に装着する押圧ヘッドとして有効である。
【００４８】
というのは、複数本のエアゾール容器から内容物を噴射させる場合や複数本の中空ステムから内容物を噴射させる場合、中空ステムを同時に、しかも均等な力でもって押圧するのは難しいが、本発明に従う押圧ヘッドは、ノズルヘッド３が、弾性変形可能な連結片５を介してベース４につながっているため、各中空ステムには無理な力がかからず、ほぼ均等な力でもって押圧することができるからである。この場合も内容物は安定した状態で噴射されることになる。
【００４９】
本発明では、内容物が上方に向けて噴射する中空ステム２を備えたエアゾール容器１に適用したものについて説明したが、中空ステム２は、内容物を上方に向けて噴射するものに限定されることはない。また、中空ステム２の下端に組み付けられているバルブはどのような種類のものであってもよく、この点についても限定されることはない。
【産業上の利用可能性】
【００５０】
本発明によれば、噴射操作が容易であり、かつ、省パーツ化、構造の簡素化を図りながらも内容物を安定した状態で噴射し得るエアゾール容器用押圧ヘッドが提供できる。
【符号の説明】
【００５１】
１      エアゾール容器
１ａ    マウンテンカップ
２      中空ステム
３      ノズルヘッド
３ａ    噴出口
４      ベース
４ａ    内筒
４ｂ    外筒
４ｃ    天板
４ｄ    貫通開口
５      連結片
６      カバー
６ａ    本体部分
６ｂ    窓孔
７      操作片
７ａ    本体
７ｂ    挟持片
７ｃ    リブ
７ｄ    支持部
８      ストッパー
９      閉塞板
１０    ヒンジ
１１    窓孔
１２    レバー
１３    ストッパー
１４    リブ
１５    凸部
ｄ      段部
Ｍ      内側空間
【図１】
0006401031.tif 000002
【図２】
0006401031.tif 000003
【図３】
0006401031.tif 000004
【図４】
0006401031.tif 000005
【図５】
0006401031.tif 000006
【図６】
0006401031.tif 000007